(57)【要約】【課題】  部品メーカの部品が適合する自動車の登録台数を提供する登録台数提供サーバ、登録台数データベースのデータ構造、登録台数提供方法を提供すること。【解決手段】  クライアントとネットワークを介して接続された自動車に係る部品毎に該部品が関係する自動車の登録台数を提供する登録台数提供サーバにおいて、自動車の型式番号及び類別区分番号毎に前記部品に係る部品情報が記録された部品情報データベースを有し、前記クライアントから送信される自動車に係る所定の部品が関係する自動車の登録台数を要求する信号を受信する登録台数要求信号受信手段と、前記登録台数要求信号受信手段により受信した登録台数要求信号に含まれている部品情報に基づき当該部品が適合する自動車の登録車両台数を前記部品情報データベースから抽出する登録台数抽出手段と、前記登録台数抽出手段により抽出された登録車両台数を前記クライアントに返送する登録車両台数返送手段とを有することを特徴とする登録台数提供サーバを提供する。【選択図】  図８
2005149413.tif 000002
【特許請求の範囲】
【請求項１】
クライアントとネットワークを介して接続された自動車に係る部品毎に該部品が関係する自動車の登録台数を提供する登録台数提供サーバにおいて、
自動車の型式番号及び類別区分番号毎に前記部品に係る部品情報が記録された部品情報データベースを有し、
前記クライアントから送信される自動車に係る所定の部品が関係する自動車の登録台数を要求する信号を受信する登録台数要求信号受信手段と、
前記登録台数要求信号受信手段により受信した登録台数要求信号に含まれている部品情報に基づき当該部品が適合する自動車の登録車両台数を前記部品情報データベースから抽出する登録台数抽出手段と、
前記登録台数抽出手段により抽出された登録車両台数を前記クライアントに返送する登録車両台数返送手段と、
を有することを特徴とする登録台数提供サーバ。
【請求項２】
前記登録台数要求信号受信手段が受信した登録台数要求信号に含まれている部品情報に基づき、当該部品が適合する自動車の初度登録年を抽出する初度登録年抽出手段と、
前記初度登録年抽出手段が抽出した初度登録年に基づき、車検が実施される車両台数を年度毎に集計する年度別車検見込み台数集計手段と、
を更に有することを特徴とする請求項１記載の登録台数提供サーバ。
【請求項３】
前記登録台数要求信号受信手段が受信した登録台数要求信号に含まれている部品情報に基づき当該部品が適合する自動車の初度登録年を抽出する初度登録年抽出手段と、
前記初度登録年抽出手段が抽出する初度登録年に基づき、自動車の使用された期間を年を単位として集計する使用年単位集計手段と、
を更に有することを特徴とする請求項１記載の登録台数提供サーバ。
【請求項４】
前記年度別車検見込み台数集計手段は、地域毎に年度別車検見込み台数を集計し、
前記使用年単位集計手段は、地域ごとに経過年数を集計する
ことを特徴とする請求項２又は３記載の登録台数提供サーバ。
【請求項５】
自動車の型式番号及び類別区分番号毎に、自動車に係る所定の部品情報及び登録されている自動車の登録車両台数が記録されていることを特徴とする登録台数データベースのデータ構造。
【請求項６】
自動車の型式番号及び類別区分番号毎に、初度登録年及び都道府県情報が記録されていることを特徴とする請求項５記載の登録台数データベースのデータ構造。
【請求項７】
クライアントとネットワークを介して接続された自動車に係る部品毎に該部品が関係する自動車の登録台数を提供する登録台数提供方法において、
前記クライアントから送信される自動車に係る所定の部品が関係する自動車の登録台数を要求する信号を受信する登録台数要求信号受信手順と、
前記登録台数要求信号受信手順により受信した登録台数要求信号に含まれている部品情報に基づき、自動車の型式番号及び類別区分番号毎に前記部品に係る部品情報が記録された部品情報データベースにアクセスする部品情報データベースアクセス手順と、
前記部品情報データベースアクセス手順により前記部品情報に係る部品が適合する自動車の登録車両台数を抽出する登録台数抽出手順と、
前記登録台数抽出手順により抽出された登録車両台数を前記クライアントに返送する登録車両台数返送手順と、
を有することを特徴とする登録台数提供方法。
【発明の詳細な説明】
【技術分野】
【０００１】
本発明は、自動車の登録台数を提供する登録台数提供サーバに関し、特に自動車部品の部品情報を受信して該部品情報に係る部品が適合する自動車の登録台数を返送する登録台数提供サーバ、登録台数提供方法及び登録台数データベースのデータ構造に関する。
【背景技術】
【０００２】
発注数を予想して適切な数量の製品を生産することや在庫を保有することは製造会社等の生産計画では知られた手法である。例えば、特許文献１記載の発明は自動車メーカの新車生産過程において各工程間の制約条件を反映できる、というものである。
【特許文献１】特開２００１−２０２４４２号公報
【発明の開示】
【発明が解決しようとする課題】
【０００３】
しかし、自動車部品の生産予測という観点では、一般的に自動車メーカは自車の車両の売り上げ動向等から各部品がいくつ必要になるか生産及び販売予測を立てやすいが、自動車メーカ系列でない、互換部品製造メーカには車両の売り上げ情報が入らない。
【０００４】
一方、自動車登録車両台数は統計データとして公開されているが、その内容は、都道府県毎の型式指定、類別区分、地区、台数、初度登録年に限られる。そのため、例えば、同一車種の部品を自動車メーカ側が途中で切り替えたような場合、その互換部品が適合する車両がどれだけ販売されているのかは互換部品を生産しているメーカには分からない。
【０００５】
従って、部品メーカが公表された自動車登録台数に基づき生産数量を計画することには限界があった。
【０００６】
本発明は、上記問題に鑑み、部品メーカの部品が適合する自動車の登録台数を提供する登録台数提供サーバ、登録台数データベースのデータ構造、登録台数提供方法を提供することを目的とする。
【課題を解決するための手段】
【０００７】
上記問題を解決するため、クライアントとネットワークを介して接続された自動車に係る部品毎に該部品が関係する自動車の登録台数を提供する登録台数提供サーバにおいて、
自動車の型式番号及び類別区分番号毎に前記部品に係る部品情報が記録された部品情報データベースを有し、前記クライアントから送信される自動車に係る所定の部品が関係する自動車の登録台数を要求する信号を受信する登録台数要求信号受信手段と、前記登録台数要求信号受信手段により受信した登録台数要求信号に含まれている部品情報に基づき当該部品が適合する自動車の登録車両台数を前記部品情報データベースから抽出する登録台数抽出手段と、前記登録台数抽出手段により抽出された登録車両台数を前記クライアントに返送する登録車両台数返送手段とを有することを特徴とする。
【０００８】
本発明によれば、部品メーカの部品が適合する自動車の登録台数を提供する登録台数提供サーバ、登録台数データベースのデータ構造、登録台数提供方法を提供することができる。
【０００９】
また、本発明の一形態として、前記登録台数要求信号受信手段が受信した登録台数要求信号に含まれている部品情報に基づき、当該部品が適合する自動車の初度登録年を抽出する初度登録年抽出手段と、前記初度登録年抽出手段が抽出した初度登録年に基づき、車検が実施される車両台数を年度毎に集計する年度別車検見込み台数集計手段とを更に有していてもよい。これにより部品メーカの部品が適合する自動車が車検を迎える年度をその台数とともに集計することができる。
【００１０】
また、本発明の別の一形態として、前記登録台数要求信号受信手段が受信した登録台数要求信号に含まれている部品情報に基づき当該部品が適合する自動車の初度登録年を抽出する初度登録年抽出手段と、前記初度登録年抽出手段が抽出する初度登録年に基づき、自動車の使用された期間を年を単位として集計する使用年単位集計手段とを更に有していてもよい。これにより部品メーカの部品が適合する自動車の使用されている年数をその台数とともに集計することができる。
また、本発明は、一局面では、前記年度別車検見込み台数集計手段は、地域毎に年度別車検見込み台数を集計し、前記使用年単位集計手段は、地域ごとに経過年数を集計することを特徴とする。これにより地域毎に年度別の車検見込み台数又は使用された経過年数を集計できる。
【００１１】
また、本発明は、自動車の型式番号及び類別区分番号毎に、自動車に係る所定の部品情報及び登録されている自動車の登録車両台数が記録されていることを特徴とする登録台数データベースのデータ構造を提供する。
【００１２】
本発明のデータ構造では、更に、自動車の型式番号及び類別区分番号毎に、初度登録年及び都道府県情報が記録されている。登録台数データベースのデータ構造より、部品メーカの部品が適合する自動車の登録台数を抽出することができる。
【００１３】
また、本発明は、クライアントとネットワークを介して接続された自動車に係る部品毎に該部品が関係する自動車の登録台数を提供する登録台数提供方法において、前記クライアントから送信される自動車に係る所定の部品が関係する自動車の登録台数を要求する信号を受信する登録台数要求信号受信手順と、前記登録台数要求信号受信手順により受信した登録台数要求信号に含まれている部品情報に基づき、自動車の型式番号及び類別区分番号毎に前記部品に係る部品情報が記録された部品情報データベースにアクセスする部品情報データベースアクセス手順と、前記部品情報データベースアクセス手順により前記部品情報に係る部品が適合する自動車の登録車両台数を抽出する登録台数抽出手順と、前記登録台数抽出手順により抽出された登録車両台数を前記クライアントに返送する登録車両台数返送手順とを有することを特徴とする。
【発明の効果】
【００１４】
部品メーカの部品が適合する自動車の登録台数を提供する登録台数提供サーバ、登録台数提供方法及び登録台数データベースのデータ構造を提供することができる。
【発明を実施するための最良の形態】
【００１５】
以下、本発明を実施するための最良の形態について、図を参照しながら実施例を上げて説明する。
【００１６】
図１は、部品コードに基づき該部品コードの部品が適合する自動車の登録台数を抽出するための構成システムの一例を示す。図１の構成システムは、ネットワーク１０を介して部品毎の自動車の登録台数を集計する登録台数提供サーバ１３、及び、集計した登録台数を表示する部品メーカのクライアント１５を有するように構成される。
【００１７】
また、登録台数提供サーバ１３は記憶装置１７を備える。記憶装置１７は、自動車の部品及び登録台数等の情報を有する部品毎登録台数データベース１１、部品メーカが登録された部品メーカデータベース１２、各部品の純正部品の情報が記録された純正部品情報データベース１８、純正部品が適合する車種名が記録された純正適合情報データベース１９を有する。部品メーカの操作により、クライアント１５が該部品メーカの部品が適合する自動車の登録台数を部品名などの部品情報で登録台数提供サーバ１３に問い合わせる。登録台数提供サーバ１３は、部品名に対応した部品コードを用い、部品毎登録台数データベース１１から、該部品が適合する自動車の登録台数を抽出する。登録台数を抽出する際は、登録された地区、初度登録年を同時に抽出することができる。
【００１８】
各データベースについて説明する。始めに、部品毎登録台数データベース１１の生成について説明する。図２（ａ）は、部品コードと型式番号及び類別区分番号を対応づけるための部品データベースの一例を示す。図２（ｂ）は、類別区分番号が含まれた地区毎の車両登録台数が記録された登録車両データベースの一例を示す。図２（ｂ）の登録車両データベースは公開されている。したがって、部品メーカから各部品の情報を収集し図２（ａ）のような部品データベースを生成すれば、型式番号と類別区分番号をキーにして、目的となる部品毎登録台数データベース１１を生成できる。
【００１９】
図２（ｃ）は、部品毎登録台数データベース１１のデータ構成の一例を示す。部品毎登録台数データベースは、型式番号、類別区分番号、品名（品名コード）、純正メーカ部品コード、部品メーカ部品コード１、部品メーカ部品コード２、部品メーカ部品コード３、地区、車両登録台数、初度登録年、メーカ、通称を有するように構成される。
【００２０】
型式番号は、自動車の認定型式が承認される時に付与される番号である。類別区分番号は、通称型式を基本として、装備品（サンルーフ、本革シート等）の内容によりきめ細かに番号が設定されている。したがって、型式指定番号と類別区分番号を用いることで、自動車の通称名、ボディタイプ、グレード、装備品等を把握することが可能となる。
【００２１】
品名は、例えばオイルフィルターのように所定の部品の通称名である。純正メーカ部品コードは、例えば自動車メーカが製造する当該部品の純正品の部品コードである。部品メーカ部品コード１ないし３は、純正品の部品と互換性のある部品の部品コードである。部品メーカ部品コードの数は１つしかないこと、又は、３つ以上あることもあり得る。
【００２２】
地区は、日本を所定の区分に分けた場合のそれぞれの地域を意味し、例えば都道府県で区分される。車両登録台数は、前記した地区毎に、型式番号と類別区分番号で特定される自動車が登録された台数である。地区及び車両登録台数により、各都道府県毎に登録されている自動車の数を知ることができる。また、初度登録年は、自動車が最初に登録された年度である。初度登録年により、車検が実施される年度を算出することができる。メーカは、当該自動車のメーカである。また、通称は、当該自動車の呼び名である。
【００２３】
図３（ａ）は、部品メーカデータベース１２のデータ構成の一例を示す。部品メーカデータベース１２は、部品メーカ名、ユーザ名、パスワード、取扱品目を有する。部品メーカ名は、部品メーカの一般名称を表し、ユーザ名及びパスワードは後述するように登録台数提供サーバ１３へログインする際に使用され、取扱品目は当該部品メーカが取り扱う部品を表す。
【００２４】
図３（ｂ）は、純正部品情報データベース１８のデータ構成の一例を示す。純正部品情報データベース１８は、品番、区分、各部品メーカが提供する純正部品の互換分の部品コード及びその価格を有する。純正部品は、自動車メーカの都合でしばしば変更されることがある。このため純正部品情報データベース１８では、変遷履歴に応じて同一の純正部品の部品コードが記録されている。例えば、図３（ｂ）の例では、純正品番「90915-10003」は、「15601-13011」、「15601-13011」、「90915-03001」、「90915-10001」と部品番号が変遷している。したがって、区分は変遷した部品番号を区分するために設けられたもので、「最終品番」となっているのが現行の部品番号、「元品番」となっているのが変更前の番号である。純正品番毎に、各部品メーカの対応部品番号及び価格が記録されている。
【００２５】
図３（ｃ）は、純正適合情報データベース１９のデータ構成の一例を示す。純正適合情報データベース１９は、メーカ名、純正部品番号、適合車種、部品名、参考価格を有する。メーカ名は、純正部品を製造したメーカの名称で主に自動車メーカの名称である。純正部品番号は、純正部品の部品コードである。適合車種は、当該純正部品に適合する車種である。部品名は、純正部品番号が示す部品の名称である。参考価格は純正部品の一般的な販売価格である。図３（ｃ）では、純正部品番号９０９１５−１００３に適合する車種として、コローラ、スプリンクラーが記録されている。
【００２６】
次に、登録台数提供サーバ１３について詳細に説明する。登録台数提供サーバ１３は、登録台数集計機能や通信機能等を有するコンピュータである。図４は、登録台数提供サーバ１３のハードウェア構成図の一例を示す。図４のハードウェア構成図は、それぞれバスで相互に接続されているＣＰＵ２１、入力装置２２、表示装置２３、通信装置２４、主記憶装置２５、記憶装置２６、ドライブ装置２７を有するように構成される。
【００２７】
ＣＰＵ２１は、登録台数提供サーバ１３が行う処理を統括的に制御する。入力装置２２は、キーボード及びマウスなどで構成され、ユーザからの様々な操作指示を入力するために用いられる。表示装置２３は、ＧＵＩ（Ｇｒａｐｈｙｃａｌ Ｕｓｅｒ Ｉｎｔｅｒｆａｃｅ）画面を形成し、操作に必要な各種ウィンドウやデータ等を表示する。通信装置２４は、ネットワーク１に接続するためのインターフェイスであり、例えばモデム、ルータ等で構成される。主記憶装置２５は、オペレーティングシステムやプログラム、データを一時保管する記憶領域である。記憶装置２６には、次述の登録台数抽出手段や初度登録年抽出手段等がインストールされている。ドライブ装置２７は、ＤＶＤ−ＲＯＭやＣＤ−ＲＯＭが挿入可能であり、これら記録媒体２８からプログラムやデータを読み込まれる。登録台数抽出手段や初度登録年抽出手段等を実現させるプログラムは、例えばＤＶＤ−ＲＯＭ等の記録媒体２８によって提供される。記録媒体２８は、ドライブ装置２７にセットされ、記憶装置２６にインストールされる。
【００２８】
なお、部品メーカのクライアント１５は、自動車の登録台数を表示等するコンピュータであるが、そのハードウェア構成は図４の登録台数提供サーバ１３と同じであるので説明を省略する。
【００２９】
図５は、登録台数提供サーバ１３の機能構成図の一例を示す。登録台数提供サーバ１３は、通信手段３１、登録台数抽出手段３３、初度登録年抽出手段３２、使用年単位集計手段３４及び年度別車検見込み台数集計手段３５を有するように構成される。通信手段３１は、登録台数要求信号受信手段２９及び登録台数返送手段２８を有し、ネットワーク１０を介してクライアント１５と接続する。登録台数要求信号受信手段２９は、クライアント１５から、当該部品メーカの部品が適合する自動車の登録台数を要求する信号を受信し、登録台数返送手段２８は、該部品が適合する自動車の登録台数をクライアント１５へ送信する。
【００３０】
登録台数抽出手段３３は、クライアント１５から送信された品名など部品情報（当該クライアントが扱う部品メーカ部品コード）に基づき、部品毎登録台数データベース１１から該部品メーカ部品コードの部品が適合する自動車の登録台数を抽出する。すなわち、当該部品コードを有するレコードを部品毎登録台数データベース１１から抽出する。各レコードには地区が記録されているので、登録台数抽出手段３３は車両登録台数と共に地区を抽出する。登録台数抽出手段３３は、車両登録台数と地区を通信手段31へ出力する。
【００３１】
初度登録年抽出手段３２は、クライアント１５から送信された部品コードを有するレコードを部品毎登録台数データベース１１から抽出する。
【００３２】
使用年単位集計手段３４は、初度登録年抽出手段３２が抽出した自動車の初度登録年に基づき、使用されている年数を集計する。たとえば１９９８年に初度登録された自動車の使用年数は、２００３年を基準にすると５年となる。
【００３３】
年度別車検見込み台数集計手段３５は、初度登録年数抽出手段３２が抽出した自動車の初度登録年に基づき、各年度に車検が実施される車両登録台数を集計する。各自動車が車検を迎える年度とその自動車の台数が分かれば部品メーカは精度の高い製造計画を立案できる。
【００３４】
ここで、初度登録年に基づき車検を迎える自動車の台数の計算方法について説明する。一般に乗用車（３・５・７ナンバ）は、初回が登録から３年後で以降は２年ごとに車検を迎える。また、貨物車（１・４ナンバ）は初回が登録から２年で以降は１年ごとに車検を迎える。なお、乗用車であってもタクシーのように業務用として登録すれば、貨物車と同様に扱われる。
【００３５】
次の車検を迎える年は、例えば乗用車であれば、初度登録年が１９９５年の場合、最初の車検が１９９８年、以降が、２０００年、２００２年となる。また、初度登録年が１９９６年の場合、最初の車検が１９９９年、以降が、２００１年、２００３年となる。このように初度登録年が分かれば次に車検を迎える年度が算出できる。
【００３６】
使用年単位集計手段３４及び年度別車検見込み台数集計手段３５は、集計した使用年数及び集計した車検見込み年度を地区毎の車両登録台数と共に通信手段３１へ出力する。
【００３７】
以上の構成に基づき、クライアント１５が問い合わせた部品が適合する自動車が登録されている台数をクライアント１５に提供する処理について説明する。図６は、本実施例における部品毎の自動車の登録台数を表示する処理のフローチャート図を示す。図６のフローチャート図は、左側にクライアント１５で行われる処理を、右側に登録台数提供サーバ１３で行われる処理を示す。
【００３８】
ステップＳ１では、ユーザ（部品メーカ）の操作により、クライアント１５が登録台数提供サーバ１３へログインの要求を出す。図７は、ログイン画面の一例を示す。図７のログイン画面は、ユーザ名入力欄６１とパスワード入力欄６２を有する。ユーザにより、予め与えられているユーザ名及びパスワードが入力されると、クライアント１５はユーザ名及びパスワードを登録台数提供サーバ１３へ送信する。
【００３９】
ステップＳ２では、登録台数提供サーバ１３が当該クライアント１５のログインを認めるか否か判断する。具体的には、登録台数要求信号受信手段２９が各部品メーカのユーザ名とパスワードが登録されている部品メーカデータベース１２にアクセスし、ステップＳ１で送信されたユーザ名とパスワードが整合しているか否か判断する。
【００４０】
ステップＳ３では、ステップＳ２の結果、ユーザ名とパスワードが整合していれば、クライアント１５が登録台数提供サーバ１３へログインする。ステップＳ２の結果、ユーザ名とパスワードが整合していなければ、クライアント１５には再び図７（ａ）のようなログイン画面が表示される。
【００４１】
ステップＳ４では、登録台数提供サーバ１３が、当該部品メーカの取り扱う部品名をクライアント１５へ送信する。登録台数要求信号受信手段２９は、部品メーカデータベース１２にアクセスし、ユーザ名に基づき登録されている当該部品メーカの全ての取扱品目をクライアント１５へ送信する。これによりクライアント１５には図７（ｂ）のように品名選択画面が表示される。
【００４２】
ステップＳ５では、図７（ｂ）のような一覧からユーザが選択した部品名を、クライアント１５が登録台数提供サーバ１３へ送信する。
【００４３】
ステップＳ６では、登録台数抽出手段３３が、クライアント１５から送信された部品名に基づき当該部品が適合する自動車の登録台数を抽出する。例えば、ユーザがオイルフィルターを選択したとすると、登録台数抽出手段３３は、部品毎登録台数データベース１１にアクセスし、当該部品メーカのオイルフィルターの部品コードを有するレコードを抽出し、当該レコードに記録された自動車の車両登録台数及びその地区を抽出する。
【００４４】
次いで、初度登録年抽出手段３２は、抽出したレコードの初度登録年を抽出する。初度登録年が抽出されると使用年単位集計手段３４は、抽出された初度登録年に基づき使用年数を集計する。車検見込み台数集計手段３５は、抽出された初度登録年に基づき、年度別の車検見込み台数を集計する。
【００４５】
また、登録台数抽出手段３３は、抽出されたレコードの純正メーカ部品コードを更に抽出し、純正部品情報データベース１８にアクセスし、抽出した純正メーカ部品コードに対応した各部品メーカの部品コード及び価格を抽出する。
【００４６】
以上の処理で、登録台数提供サーバ１３は、地区毎の車両登録台数、初度登録年、使用年、年度別車検見込み台数及び純正メーカ部品コードに対応した各部品メーカの部品コードと価格を取得できた。登録台数提供サーバ１３は、車両登録台数などを登録台数返送手段２８へ出力し、登録台数返送手段２８はクライアント１５へ車両登録台数などを送信する。以上で、クライアント１５にユーザ（部品メーカ）が所望の情報が送信された。
【００４７】
図８（ａ）は、クライアント１５の画面に表示された部品毎登録台数表示画面の一例を示す。部品毎登録台数表示画面は、大分類として、純正メーカ情報、部品メーカ情報、年度別車検見込み台数、の項目を有する。純正メーカ情報は、自動車メーカ、純正メーカ部品コード、参考価格を有する。部品メーカ情報は、部品メーカ部品コード及びその価格を有する。年度別車検見込み台数は、当該部品メーカの部品コードの部品が適合する自動車の総登録台数、及び、一例として２００３年度から２００６年度までの各年度に車検を迎えることが予想される登録台数の項目を有する。部品メーカは、部品毎登録台数表示画面を見ることで、自車の部品が使用可能な自動車のうち車検を迎える自動車の年度毎の台数を知ることができる。
【００４８】
部品毎登録台数表示画面は更に詳しい情報を提供できる。例えば２００３年度の項目のうち「３２０００台」をマウスなどで押下すると、その内訳を表示する。図８（ｂ）は、２００３年度に車検を迎える自動車の初度登録年を示す図である。図８（ｂ）によれば、２００３年度に車検を迎える自動車のうち、１９９０年に登録された車両は４０００台、１９９２年に登録された車両は５０００台、１９９４年に登録された車両は６０００台、１９９６年に登録された車両は７０００台、１９９８年に登録された車両は５０００台、２０００年に登録された車両は５０００台、となる。上述したように、普通乗用車の場合、初回の車検は初度登録から３年であるため２００１年から２００３年登録分までは車検を行わず、欄は空白になっている。その後２回目以降の車検は２年毎になるため、普通乗用車は初度登録年が奇数年であれば偶数年に車検、偶数年に登録していれば奇数年に車検日が到来する。なお、必ずしもこのようになるわけではなく、同じ車種であっても業務用として登録すれば車検期間は1年になるため、タクシー等によく用いられる車種の場合は毎年均等に車検期日が到来する。
【００４９】
また、初度登録年を用いれば、登録からの経過年数とその年数を経た車両台数を表示することもできる。図８（ｃ）は、登録からの経過年別の車両台数を示す図である。図８（ｃ）の経過年別台数は、車検見込み年度と違い、毎年毎に車両台数が表示される。
【００５０】
また、図８（ａ）の部品毎登録台数表示画面において、純正メーカ部品コードの欄の例えば「９０９１５−１０００３」をマウスなどで押下すると、純正メーカ部品コードの詳細を表示することができる。図８（ｄ）は、純正メーカ部品コードの詳細の一例を示す図である。純正メーカ部品コードは上述したように自動車メーカの都合により変更されることがあるが、純正部品情報データベース１８の内容を表示することにより、部品メーカは過去の純正メーカ部品コードを知ることができる。なお、図８（ｂ）ないし（ｄ）の情報は、図６のフローチャート図のステップＳ６で送信されていてもよいし、ユーザ（部品メーカ）の押下に応じて登録台数提供サーバ１３から送信されてもよい。
【００５１】
また、図８（ａ）の部品毎登録台数表示画面で、詳細欄をクリックすると地区又は都道府県別の登録台数を表示できる。図９は、地域別及び都道府県別の登録台数の一例を示す図である。図９（ａ）の上の表は、地区毎の年度別車検見込み台数を、下の表は地区毎の経過年別台数をそれぞれ表示する。図９（ｂ）の上の表は都道府県毎の年度別車検見込み台数を、下の表は都道府県毎の経過年別台数をそれぞれ表示する。部品メーカは自車の販売店などに近い地区の登録台数を確認することでより精度の高い部品の生産計画を立案できる。なお、図９（ｃ）のように、図８（ａ）の内容の一部である当該部品の純正部品コード、そのメーカ名及び当該部品が適合する全ての登録車両台数を同じ画面に表示してもよい。部品メーカは、図９（ｃ）の表示を見ることで表示されている地区別の経過年別台数等がどの部品に係る表示か確認できる。
【００５２】
本実施例によれば、部品メーカは、自社が取り扱っている部品名を送信するだけで、その部品が適合する自動車の登録台数を調査することができ、更に、その情報を地区毎や車検見込み年度、使用経過年数などで表示できる。部品メーカはこれらの情報を利用することで部品の生産量の予測を適切に行うことができる。
【図面の簡単な説明】
【００５３】
【図１】部品コードに基づき該部品コードの部品が適合する自動車の登録台数を抽出する構成システムの一例を示す図である。
【図２】部品毎登録台数データベースの一例を示す図である。
【図３】部品メーカデータベース、純正部品情報データベース及び純正適合情報データベースの一例を示す図である。
【図４】登録台数提供サーバのハードウェア構成図の一例を示す図である。
【図５】登録台数提供サーバの機能構成図の一例を示す図である。
【図６】部品メーカの部品が適合する自動車の登録台数を表示する処理のフローチャート図の一例である。
【図７】ログイン画面、品名選択画面の一例を示す図である。
【図８】部品毎登録台数表示画面の一例を示す図である。
【図９】地域別及び都道府県別の登録台数の一例を示す図である。
【符号の説明】
【００５４】
１０      ネットワーク
１１      部品毎登録台数データベース
１２      部品メーカデータベース
１３      登録台数提供サーバ
１５      クライアント
１７      記憶装置
１８      純正部品情報データベース
１９      純正適合情報データベース
２８      登録台数返送手段
２９      登録台数要求信号受信手段
３２      初度登録年抽出手段
３３      登録台数抽出手段
３４      使用年単位集計手段
３５      年度別車検見込み台数集計手段
【図１】
2005149413.tif 000003
【図２】
2005149413.tif 000004
【図３】
2005149413.tif 000005
【図４】
2005149413.tif 000006
【図５】
2005149413.tif 000007
【図６】
2005149413.tif 000008
【図７】
2005149413.tif 000009
【図８】
2005149413.tif 000010
【図９】
2005149413.tif 000011